【事件の表示】
　特許第６０１８２６１号発明「のどごし感に優れた高濃度茶由来粒子含有容器詰め茶飲料」の特許異議申立事件について，次のとおり決定する。
【結　論】
　特許第６０１８２６１号の明細書及び特許請求の範囲を訂正請求書に添付された訂正明細書及び特許請求の範囲のとおり，訂正後の請求項〔１−３〕，４について訂正することを認める。
　特許第６０１８２６１号の請求項１〜４に係る特許を取り消す。
【理　由】
第１　手続の経緯の概略
　特許第６０１８２６１号の請求項１〜４に係る特許（以下「本件特許」という。）についての手続の経緯は，概ね，以下のとおりである。
　平成２７年　６月１０日　特許出願
　平成２８年１０月　７日　設定登録
　平成２８年１１月　２日　特許掲載公報発行
　平成２９年　４月２８日　特許異議申立書（特許異議申立人：山口幸子）
　平成２９年　６月２７日　取消理由通知書
　平成２９年　８月２８日　意見書（特許権者）及び訂正請求書
　平成２９年　９月２８日　意見書（特許異議申立人）
　平成２９年１０月２７日　取消理由通知書（決定の予告）
　平成２９年１２月２６日　意見書（特許権者）及び訂正請求書
　平成３０年　２月　８日　意見書（特許異議申立人）
　以下，平成２９年１２月２６日付けの訂正請求書を「本件訂正請求書」といい，これに係る訂正を「本件訂正」という。なお，平成２９年８月２８日付けの訂正請求書は，取り下げられたものとみなす（特許法１２０条の５第７項）。
第２　本件訂正の適否
　１　本件訂正の内容
　本件訂正の請求は，特許第６０１８２６１号の明細書及び特許請求の範囲を，本件訂正請求書に添付した訂正明細書及び特許請求の範囲のとおり，訂正後の請求項１〜４について訂正することを求めるものであって，その訂正の内容は次のとおりである（下線は訂正箇所を示す。）。 
　　（１）　請求項１〜３について
　　　ア　訂正事項１
　本件訂正前の請求項１の「６８０ｎｍにおける吸光度として表わされる濁度（ＯＤ６８０）が０．５以上に調整された，茶由来粒子を高濃度に含有した容器詰め茶飲料の製造において，０．５以上に調整された茶由来粒子を含有する原料緑茶抽出液のグルタミン酸濃度を１０〜１０００ｐｐｍに調整し，該茶抽出液を加熱殺菌処理し，容器に充填することを特徴とする，茶由来粒子高濃度含有容器詰め茶飲料の製造方法。」を「６８０ｎｍにおける吸光度として表わされる濁度（ＯＤ６８０）が０．５
〜５．３
該濁度が
〜５．３
４４
　　　イ　訂正事項２
　本件訂正前の請求項２の「０．５以上に調整された茶由来粒子を高濃度に含有した茶飲料の濁度の調整が，茶飲料への抹茶，かぶせ茶粉砕物，玉露粉砕物，若しくは煎茶粉砕物の１又は２以上の添加により行うことを特徴とする，請求項１に記載の茶由来粒子高濃度含有容器詰め茶飲料の製造方法。」を「
濁度（ＯＤ
６８０
）が
５．３
　　　ウ　訂正事項３
　本件明細書の【００１８】の「すなわち具体的には本発明は，［１］６８０ｎｍにおける吸光度として表わされる濁度（ＯＤ６８０）が０．５以上に調整された，茶由来粒子を高濃度に含有した容器詰め茶飲料の製造において，０．５以上に調整された茶由来粒子を含有する原料緑茶抽出液のグルタミン酸濃度を１０〜１０００ｐｐｍに調整し，該茶抽出液を加熱殺菌処理し，容器に充填することを特徴とする，茶由来粒子高濃度含有容器詰め茶飲料の製造方法や，［２］０．５以上に調整された茶由来粒子を高濃度に含有した茶飲料の濁度の調整が，茶飲料への抹茶，かぶせ茶粉砕物，玉露粉砕物，若しくは煎茶粉砕物の１又は２以上の添加により行うことを特徴とする，上記［１］に記載の茶由来粒子高濃度含有容器詰め茶飲料の製造方法や，［３］グルタミン酸の濃度調整が，かぶせ茶又は玉露の抽出液を原料茶抽出液への添加により行うことを特徴とする，上記［１］又は［２］に記載の茶由来粒子高濃度含有容器詰め茶飲料の製造方法や，」を「すなわち具体的には本発明は，［１］６８０ｎｍにおける吸光度として表わされる濁度（ＯＤ６８０）が０．５
〜５．３
該濁度が
〜５．３
４４
濁度（ＯＤ
６８０
）が
〜５．３
　　（２）　請求項４について
　　　ア　訂正事項４
　本件訂正前の請求項４の「６８０ｎｍにおける吸光度として表わされる濁度（ＯＤ６８０）が，０．５以上に調整された，茶由来粒子を高濃度に含有した容器詰め茶飲料の製造において，０．５以上に調整された茶由来粒子を含有する原料茶抽出液を，グルタミン酸濃度を１０〜１０００ｐｐｍに調整することを特徴とする，容器詰め茶飲料飲用時の茶由来粒子のざらつきを低減する方法。」を「６８０ｎｍにおける吸光度として表わされる濁度（ＯＤ６８０）が，０．５
〜５．３
該濁度が
〜５．３
４４
　　　イ　訂正事項５
　本件明細書の【００１８】の「［４］６８０ｎｍにおける吸光度として表わされる濁度（ＯＤ６８０）が，０．５以上に調整された，茶由来粒子を高濃度に含有した容器詰め茶飲料の製造において，０．５以上に調整された茶由来粒子を含有する原料茶抽出液を，グルタミン酸濃度を１０〜１０００ｐｐｍに調整することを特徴とする，容器詰め茶飲料飲用時の茶由来粒子のざらつきを低減する方法からなる。」を「［４］６８０ｎｍにおける吸光度として表わされる濁度（ＯＤ６８０）が，０．５
〜５．３
該濁度が
〜５．３
４４
　２　本件訂正の適否について
　　（１）　訂正事項１，２及び４について
　訂正事項１，２及び４は，本件訂正前の請求項１，２及び４における濁度について，それぞれ上限を特定するものであり，グルタミン酸濃度の上限を１０００ｐｐｍから４４ｐｐｍに限定し減縮するものであるから，特許請求の範囲の減縮を目的とするものである。
　そして，本件明細書には，実施例１１に関し濁度（ＯＤ６８０）が５．３である点が記載され（【００５５】【表３】），実施例３，４，７に関しグルタミン酸濃度が４４ｐｐｍである点が記載されているから（【００５１】【表２】），訂正事項１，２及び４に係る本件訂正は，新規事項を追加するものではなく，また，実質上特許請求の範囲を拡張，又は変更するものではない。
　　（２）　訂正事項３及び５について
　訂正事項３及び５は，訂正事項１，２及び４に係る本件訂正に伴って，特許請求の範囲の記載と発明の詳細な説明の記載の整合を図るものであるから，明瞭でない記載の釈明を目的とするものであり，新規事項を追加するものではなく，また，実質上特許請求の範囲を拡張，又は変更するものではない。 
　　（３）　さらに，本件訂正は一群の請求項ごとに請求されたものである。
　　（４）　以上のとおりであるから，本件訂正は特許法１２０条の５第２項ただし書１号及び３号に掲げる事項を目的とするものであって，同条４項，並びに同条９項において準用する同法１２６条４項〜６項の規定に適合するので，訂正明細書及び特許請求の範囲のとおり，訂正後の請求項〔１−３〕，４について訂正することを認める。
第３　本件発明
　前記第２のとおり本件訂正は認められるから，本件特許の請求項１〜４に係る発明は，特許請求の範囲の請求項１〜４に記載された事項により特定される次のとおりである。以下，本件特許に係る発明を総称して「本件発明」という。
　【請求項１】
　６８０ｎｍにおける吸光度として表わされる濁度（ＯＤ６８０）が０．５〜５．３に調整された，茶由来粒子を高濃度に含有した容器詰め茶飲料の製造において，該濁度が０．５〜５．３に調整された茶由来粒子を含有する原料緑茶抽出液のグルタミン酸濃度を１０〜４４ｐｐｍに調整し，該茶抽出液を加熱殺菌処理し，容器に充填することを特徴とする，茶由来粒子高濃度含有容器詰め茶飲料の製造方法。
　【請求項２】
　濁度（ＯＤ６８０）が０．５〜５．３に調整された茶由来粒子を高濃度に含有した茶飲料の濁度の調整が，茶飲料への抹茶，かぶせ茶粉砕物，玉露粉砕物，若しくは煎茶粉砕物の１又は２以上の添加により行うことを特徴とする，請求項１に記載の茶由来粒子高濃度含有容器詰め茶飲料の製造方法。
　【請求項３】
　グルタミン酸の濃度調整が，かぶせ茶又は玉露の抽出液を原料茶抽出液への添加により行うことを特徴とする，請求項１又は２に記載の茶由来粒子高濃度含有容器詰め茶飲料の製造方法。
　【請求項４】
　６８０ｎｍにおける吸光度として表わされる濁度（ＯＤ６８０）が，０．５〜５．３に調整された，茶由来粒子を高濃度に含有した容器詰め茶飲料の製造において，該濁度が０．５〜５．３に調整された茶由来粒子を含有する原料茶抽出液を，グルタミン酸濃度を１０〜４４ｐｐｍに調整することを特徴とする，容器詰め茶飲料飲用時の茶由来粒子のざらつきを低減する方法。
第４　取消理由（３６条４項１号及び３６条６項１号）について
　１　発明の詳細な説明の記載によれば，本件発明は，「茶由来粒子を高濃度に含むにもかかわらず，飲用時にざらつきを感じにくく，口当たりの良いすっきりしたのどごしを有する，のどごし感に優れた容器詰めの茶飲料，及びその製造方法を提供すること」（【０００９】）を，解決しようとする課題とするものである。
　そして，請求項１〜４に記載された事項（前記第３）を備えることで，「茶由来粒子を高濃度に含むにもかかわらず，飲用時にざらつきを感じにくく，口当たりの良いすっきりしたのどごしを有する，のどごし感に優れ，かつ，茶由来粒子を高濃度に含有する，容器詰めの茶飲料，及びその製造方法を提供する。」（【００１９】）ことができるというものである。
　２　このような本件発明について，発明の詳細な説明には，条件の異なる複数種の容器詰め緑茶飲料サンプルに関しざらつき低減効果を評価したところ，特定の濁度，テアニン濃度，グルタミン酸濃度を有する容器詰め緑茶飲料サンプル（実施例１〜１１）につき，ざらつき低減効果が確認された旨記載されている（【００４０】〜【００５５】）。
　他方，発明の詳細な説明には，「本発明の作用機序は明確にはできていないが，テアニンやグルタミン酸の呈味と，のどごし感の相互作用により，高濃度の茶由来粒子によってもたらさせる，口内のざらつきがマスキングされるものと推測できる。」（【００１１】）と記載され，ざらつき低減効果に関する本件発明の作用機序について明確にされておらず，技術常識とも認められない。
　そうすると，技術常識に照らしても，本件発明の範囲まで，発明の詳細な説明に具体的に開示された内容（実施例１〜１１）を，拡張ないし一般化できるとは認められない。
　また，実施例１〜１１に係る濁度，テアニン濃度，グルタミン酸濃度の範囲外であっても，本件発明の範囲内であれば，実施例１〜１１と同様のざらつき低減効果を奏するのか，当業者は理解することができないから，発明の詳細な説明の記載からでは，当業者が本件発明の実施をすることができない。
　３　実施例１〜１１及び比較例１〜３に係る試験の結果からすると，グルタミン酸濃度だけでなく，特に，テアニン濃度もざらつき低減効果に関係していることが窺われる（【００４０】〜【００５５】）。
　比較例２（テアニン濃度，グルタミン酸濃度が，それぞれ，２０ｐｐｍ，８ｐｐｍ），比較例３（同２０ｐｐｍ，６ｐｐｍ）と実施例６（同５０ｐｐｍ，１４ｐｐｍ）の結果についてみるに，比較例２，３の結果が×（ざらつきが低減していない，又は低減効果が不十分である）であったのに対し，実施例６の結果が○（飲用時のざらつきが低減した）であったところ，実施例６は比較例２，３に比べグルタミン酸濃度が高いことから，グルタミン酸濃度がざらつき低減効果に関係していると考えられるが，同時にテアニン濃度も高いことを踏まえると，この結果から，直ちに，グルタミン酸濃度だけがざらつき低減効果に関係しているとは認められない。
　例えば，グルタミン酸濃度が高い実施例３（同１０ｐｐｍ，４４ｐｐｍ（本件発明の上限値））の結果が○であったのに対し，実施例３に比べグルタミン酸濃度が低い実施例１０（同１０５ｐｐｍ，２０ｐｐｍ）の結果が◎（飲用時のざらつきが顕著に低減した）と，ざらつき低減効果がむしろ良好であったこと，グルタミン酸濃度が実施例３と同じである実施例４，７（同２１０ｐｐｍ，４４ｐｐｍ）の結果が◎であったことからすると，テアニン濃度もざらつき低減効果に影響していることが理解できる。
　また，実施例２（同２１０ｐｐｍ，４ｐｐｍ）の結果が○であるのに対し，それよりもグルタミン酸濃度が高い比較例２（同２０ｐｐｍ，８ｐｐｍ），比較例３（同２０ｐｐｍ，６ｐｐｍ）の結果が×であったことからも，ざらつき低減効果に関するテアニン濃度の影響が窺える。
　なお，実施例３は，グルタミン酸濃度が高くテアニン濃度が低いことから，グルタミン酸濃度が高いときにはグルタミン酸単独の効果が認められるとしても，それ以外のときに，テアニン濃度を考慮しなくてよいとする理由は特段認められない。
　仮にテアニン濃度がざらつき低減効果に関係していないならば，グルタミン酸濃度が１０ｐｐｍ（下限値）の場合に，テアニン濃度が低くとも課題を解決することができるものと解されるが，比較例２（同２０ｐｐｍ，８ｐｐｍ），比較例３（同２０ｐｐｍ，６ｐｐｍ）の結果が×であったのに対し，グルタミン酸濃度が１０ｐｐｍとなった途端にざらつき低減効果を奏するとは，発明の詳細な説明の記載を参照しても理解することはできない。
　このように，本件発明において，茶由来粒子を高濃度に含有するにもかかわらず，グルタミン酸濃度を１０ｐｐｍ以上に調整するだけで，たとえテアニン濃度が低い場合であっても，ざらつき低減効果を奏するものとは認められない。
　さらに，濁度が５．３（上限値）である実施例１１（同６５ｐｐｍ，１８ｐｐｍ）の結果が○であったことに照らすと，濁度が上限値（５．３）の場合のように，茶由来粒子に係る条件が一層厳しいときに，グルタミン酸の濃度を１０ｐｐｍ以上に調整することのみでは，本件発明の課題を解決することができないと解する余地も認められる。
　そうすると，請求項１〜４において，発明の課題を解決するための手段が反映されているとは認められないため，発明の詳細な説明に記載した範囲を超えて特許を請求することになっているものと認められる。 
　また，グルタミン酸の濃度を１０ｐｐｍ以上に調整するだけで，同様にざらつき低減効果を奏するのか，当業者は理解することができないから，発明の詳細な説明の記載からでは，当業者が本件発明の実施をすることができない。
　４　この点に関し，特許権者は，
　・特許請求の範囲の請求項に特定された「濁度（ＯＤ６８０）」，「原料緑茶抽出液のグルタミン酸濃度」の数値自体は，発明の詳細な説明の実施例に示された数値である，発明の詳細な説明には，請求項に特定された発明の構成要件について，本件発明の効果（ざらつき低減効果）を奏することが開示されている（平成２９年１２月２６日付け意見書８〜９頁），
　・本件発明の実施例に示されるように（【００５２】），「グルタミン酸１０ｐｐｍ以上で，ざらつきの低減効果が得られる」ことが確認されており，各実施例及び比較例（【００５１】【表２】）にも，グルタミン酸濃度が１０ｐｐｍに満たないもの（比較例２，３）は「ざらつき低減効果」が得られないこと，テアニン濃度が所定量以下であってもグルタミン酸濃度１０ｐｐｍ以上の場合（実施例３）は「ざらつき低減効果」が得られることが示されており，該結果と実施例及び比較例の結果を併せ考慮すれば，請求項に特定する範囲で，本件発明の効果が奏されることは，当業者が容易に確認することができる（同９〜１１頁），
などと，主張している。
　しかし，特許請求の範囲の請求項に特定された「濁度（ＯＤ６８０）」，「原料緑茶抽出液のグルタミン酸濃度」の数値のすべてが，実施例に示されているものではなく，既に述べたとおり，請求項に特定するすべての範囲で，本件発明の効果が奏されるものとは認められない。
　発明の詳細な説明に「試験の結果，飲料中の・・・グルタミン酸１０ｐｐｍ以上で，ざらつきの低減効果が見られた」（【００５２】）旨記載されているが，グルタミン酸濃度が１０ｐｐｍである実施例は具体的に示されておらず，既に述べたとおり，比較例２，３や実施例３の結果から当然にこのように判断できるものとは認められない。実施例及び比較例の結果を併せ考慮しても，請求項に特定するすべての範囲において，本件発明がざらつき低減効果を奏すると理解することはできない。
　５　まとめ
　以上のとおりであるから，本件発明は発明の詳細な説明に記載したものであるとは認められない。 
　また，発明の詳細な説明は，当業者が本件発明の実施をすることができる程度に明確かつ十分に記載したものであるとは認められない。 
第５　むすび
　以上のとおり，本件特許は，特許法３６条４項１号，同条６項１号に規定する要件を満たしていない特許出願に対してされたものであるから，同法１１３条４号に該当し，取り消されるべきものである。
　よって，結論のとおり決定する。
【異議決定日】
平成３０年３月９日（２０１８．３．９）
【訂正の要旨】
審決（決定）の【理由】欄参照。
（５４）【発明の名称】
のどごし感に優れた高濃度茶由来粒子含有容器詰め茶飲料
【発明の詳細な説明】
　【技術分野】
　【０００１】
　本発明は、茶由来の粒子を高濃度に含有するにもかかわらず、飲用時にざらつきを感じにくく、口当たりの良いすっきりしたのどごしを有する、のどごし感に優れた容器詰め茶飲料、及びその製造方法に関する。
　【背景技術】
　【０００２】
　近年、自然志向や健康志向の流れを受けて、容器詰めの茶飲料は多くの消費者の支持を受けている。その中でも抹茶や粉砕した緑茶葉などを配合した緑茶飲料は、茶由来の粒子を取り除いた従来の緑茶飲料に比べて、家庭で飲む急須でいれた緑茶に近い香味を有することなどの理由で人気が高まっている。しかし、抹茶や粉砕した緑茶葉を多く入れすぎると、飲用時に口内にざらつきを感じて、飲みにくくなるという問題が生じるため、その添加量には限界があった。
　【０００３】
　粉砕緑茶葉を用いて、緑茶の微粒子を含有させた緑茶飲料においては、そのコク、深い味わいの風味、色調等を生かす方法として、各種の方法が開示されている。例えば、特許文献１には、緑茶抽出液から抽出に伴って生じる微粒子を除去し、飲料調合時に緑茶粉末を添加する方法により、濁度をＯＤ７２０で０．０５〜３．００とし、適度な濁度に自由に調整することができる緑茶飲料の製造方法が開示されている。また、特許文献２には、茶抽出液に対して、カフェイン、銅置換クロロフィル及びヒドロキシカルボン酸を一定比率で配合し、緑色の安定性の保持と、濁り成分の旨味を保持した濁り茶が開示されている。実施例には濁度が高い濁り茶が開示されているが、濁度は茶由来粒子によるものではなく、専ら、緑色植物から調製した銅置換クロロフィルによるものであることが示されている。
　【０００４】
　また、粉末茶等を含有する茶飲料において、のどごし感等を改良する方法も開示されている。例えば、特許文献３には、緑茶飲料中に粉砕茶葉は０．３重量％以上〜１０．０重量％未満添加し、ＳＯＤ（スーパーオキサイドデスムターゼ）様活性を１，０００〜２５，０００（Ｕ／ｍｌ）有する缶入り緑茶飲料において、原料茶葉を、粒径０．４〜２００μｍ以下に粉砕することにより、飲用時のざらつきの問題がない、のどごしの良い緑茶飲料が提供できることが、特許文献４には、粒子径２μｍ以下の粉末茶葉と、モノガラクトシルジグリセリド及びジガラクトシルジグリセリドとを含有させることにより、香り立ちを増強しながら、ざらつき感を低減した粉末茶飲料を提供できることが、それぞれ開示されている。
　【０００５】
　更に、特許文献５には、粉末抹茶を含有する飲料中の、全粒子数に対する、粒子径７μｍ以上２０μｍ以下の粒子の数の割合及び粒子径７μｍ以上２０μｍ以下の粒子の数に対する、粒子径２μｍ以下の粒子の割合を、特定な値に調整することによる、粉末抹茶が有する香り立ちを保持しながら、苦渋味やざらつき感を低減した粉末茶飲料が、特許文献６には、抹茶と、緑茶抽出物及び／又は穀類抽出物と、甘味成分とを含み、飲料１００ｍＬあたりの不溶性固形分が０．３ｇ〜０．９ｇであるように調整することによる、多量に水不溶性固形分を含むにもかかわらず、抹茶本来の深いコク（味わい）と飲み易さを実現した抹茶入り飲料が開示されている。これらの粉末茶を含有する茶飲料は、粉末茶葉の粒子径や、添加量を調整して、粉末抹茶が有する香り立ちを保持しながら、粉末茶粒子に起因するざらつきを低減し、のどごし感等を改善するものであるが、茶由来粒子を高濃度に含有する容器詰め緑茶飲料においては、香味に優れ、のどごしの良い容器詰め緑茶飲料を調製し、安定的に維持することが難しいという面がある。
　【０００６】
　他方で、容器詰め茶飲料において、茶抽出液にテアニンを添加して、テアニンの有する旨味や、コク或いは甘味を茶抽出液に増強して、旨味やコクの付与された容器詰め茶飲料を製造する方法が開示されている。例えば、特許文献７には、テアニン及びアルギニンのようなアミノ酸を含有させることによる、旨味やコクが強く、渋味が抑えられ、かつ旨味と渋味のバランスのとれた容器詰め緑茶飲料が、特許文献８には、テアニンと、（Ａ）モノガラクトシルジグリセリド及び（Ｂ）ジガラクトシルジグリセリドを所定量で添加、配合することによる、テアニンの有する旨味や甘味が増強された容器詰め茶飲料が開示されている。しかし、該開示のものは、茶由来粒子を高濃度に含有する容器詰め茶飲料の味覚の改善に向けられたものではなく、また、該容器詰め茶飲料の茶由来粒子に起因する飲用の際のざらつきの低減について開示されているものでもない。
　【０００７】
　なお、茶由来粒子を高濃度に含む、紅茶やウーロン茶といった緑茶以外の容器詰め茶飲料はこれまで知られていなかった。
　【先行技術文献】
　【特許文献】
　【０００８】
　【特許文献１】特開平８−１６３９５８号公報
　【特許文献２】特開２０１４−１４３１５号公報
　【特許文献３】特開平１０−２３４３０１号公報
　【特許文献４】特開２０１４−６８６３６号公報
　【特許文献５】特開２０１４−６８６３５号公報
　【特許文献６】特開２０１４−２２１０１８号公報
　【特許文献７】特開２００６−０６１１２５号公報
　【特許文献８】特開２０１４−０６８６３４号公報
　【発明の概要】
　【発明が解決しようとする課題】
　【０００９】
　本発明の課題は、茶由来粒子を高濃度に含むにもかかわらず、飲用時にざらつきを感じにくく、口当たりの良いすっきりしたのどごしを有する、のどごし感に優れた容器詰めの茶飲料、及びその製造方法を提供することにある。
　【課題を解決するための手段】
　【００１０】
　本発明者らは、上記課題を解決するべく、茶由来粒子を高濃度に含有する容器詰め茶飲料において、抹茶や粉砕茶葉について特別な加工や分級を要することなく、また茶飲料にとって特殊な原材料を使用することなく、茶由来粒子を高濃度に含有する容器詰め茶飲料のざらつきを低減し、のどごし感を改善する方法について、鋭意検討を行った結果、思いがけずも、茶飲料中のテアニン及び／又はグルタミン酸の濃度を一定範囲に調整することで、茶由来粒子が高濃度に含まれていても、飲用時に口内のざらつきを感じにくくなることを見いだし、本発明を完成するに至った。
　【００１１】
　すなわち、本発明は、６８０ｎｍにおける吸光度として表わされる濁度（ＯＤ６８０）が０．５以上に調整された、茶由来粒子を高濃度に含有した容器詰め茶飲料、特に容器詰め緑茶飲料において、テアニン濃度を５０〜２０００ｐｐｍ及び／又はグルタミン酸濃度を１０〜１０００ｐｐｍにそれぞれ調整したことを特徴とする、のどごし感に優れた茶由来粒子高濃度含有容器詰め茶飲料からなる。本発明の容器詰め茶飲料は、茶由来粒子を高濃度に含むにもかかわらず、飲用時にざらつきを感じにくく、口当たりの良いすっきりしたのどごしを有する、のどごし感に優れた容器詰めの茶飲料である。本発明の作用機序は明確にはできていないが、テアニンやグルタミン酸の呈味と、のどごし感の相互作用により、高濃度の茶由来粒子によってもたらさせる、口内のざらつきがマスキングされるものと推測できる。
　【００１２】
　本発明の茶由来粒子高濃度含有容器詰め茶飲料において、濁度の調整は、抹茶、かぶせ茶粉砕物、玉露粉砕物、若しくは煎茶粉砕物の１又は２以上を添加することによって行うことができる。また、本発明の茶由来粒子高濃度含有容器詰め茶飲料、特に茶由来粒子高濃度含有容器詰め緑茶飲料においては、テアニン及び／又はグルタミン酸の濃度調整は、かぶせ茶又は玉露の抽出液の添加によって行うことができる。
　【００１３】
　本発明の茶由来粒子高濃度含有容器詰め緑茶飲料においては、濁度を、１．０、さらには２．０以上に調整することにより、より高濃度に茶由来粒子を含有する容器詰め茶飲料として調製することができる。
　【００１４】
　本発明は、６８０ｎｍにおける吸光度として表わされる濁度（ＯＤ６８０）が０．５以上に調整された、茶由来粒子を高濃度に含有した容器詰め茶飲料の製造において、０．５以上に調整された茶由来粒子を含有する原料緑茶抽出液のテアニン濃度を５０〜２０００ｐｐｍ及び／又はグルタミン酸濃度を１０〜１０００ｐｐｍにそれぞれ調整し、該緑茶抽出液を加熱殺菌処理し、容器に充填することからなる、茶由来粒子高濃度含有容器詰め茶飲料の製造方法の発明を包含する。
　【００１５】
　本発明の茶由来粒子高濃度含有容器詰め茶飲料の製造方法において、０．５以上に調整された茶由来粒子を高濃度に含有した茶飲料の濁度の調整は、茶飲料への抹茶、かぶせ茶粉砕物、玉露粉砕物若しくは煎茶粉砕物の１又は２以上を添加することにより行うことができる。また、本発明の茶由来粒子高濃度含有容器詰め茶飲料の製造方法において、テアニン及び／又はグルタミン酸の濃度の調整は、かぶせ茶又は玉露の抽出液を原料茶抽出液へ添加することにより行うことができる。
　【００１６】
　さらに、本発明は、６８０ｎｍにおける吸光度として表わされる濁度（ＯＤ６８０）が、０．５以上に調整された茶由来粒子を高濃度に含有した容器詰め茶飲料の製造において、０．５以上に調整された茶由来粒子を含有する原料茶抽出液のテアニン濃度を５０〜２０００ｐｐｍ及び／又はグルタミン酸濃度を１０〜１０００ｐｐｍにそれぞれ調整することを特徴とする、容器詰め茶飲料飲用時の茶由来粒子のざらつきを低減する方法をも包含する。
　【００１７】
　（削除）
　【００１８】
　すなわち具体的には本発明は、［１］６８０ｎｍにおける吸光度として表わされる濁度（ＯＤ６８０）が０．５
〜５．３
該濁度が
〜５．３
４４
濁度（ＯＤ６８０）が
〜５．３
〜５．３
該濁度が
〜５．３
４４
　【発明の効果】
　【００１９】
　本発明は、茶由来粒子を高濃度に含むにもかかわらず、飲用時にざらつきを感じにくく、口当たりの良いすっきりしたのどごしを有する、のどごし感に優れ、かつ、茶由来粒子を高濃度に含有する、容器詰めの茶飲料、及びその製造方法を提供する。
　【発明を実施するための形態】
　【００２０】
　本発明は、６８０ｎｍにおける吸光度として表わされる濁度（ＯＤ６８０）が０．５以上に調整された、茶由来粒子を高濃度に含有した容器詰め茶飲料において、テアニン濃度を５０〜２０００ｐｐｍ及び／又はグルタミン酸濃度を１０〜１０００ｐｐｍにそれぞれ調整することにより、茶由来粒子を高濃度に含有するにもかかわらず、ざらつきを感じにくく、口当たりのよいすっきりしたのどごしを有する、のどごし感に優れた容器詰め茶飲料、及びその製造方法を提供することからなる。
　【００２１】
　本発明でいう「ざらつき」とは、飲料を口に含んだ際に上あごと舌の間で感じる、ざらざらとした不快な食感をさす。「ざらつき」を低減することで、口当たりがよく、すっきりとしたのどごしの、飲みやすい茶飲料となる。
　【００２２】
＜茶飲料＞
本発明の茶飲料は、茶樹（カメリア・シネンシス）の葉を加工した茶葉から抽出した茶飲料であれば、緑茶、紅茶、ウーロン茶を始め、黒茶などの醗酵茶などいずれも対象となる。その中では、特に緑茶飲料は、本発明により、高濃度の茶由来粒子を含有したことによる飲料の旨味やコクが保持できるという点で好ましいものである。
　【００２３】
　茶飲料のタンニン値については特に制限はないが、緑茶飲料の場合は、適度な飲みごたえを与えるとともに、苦味を感じすぎないようにすることから、１００ｍｇ／１００ｍＬ以下が好ましく、９０ｍｇ／１００ｍＬ以下がより好ましく、１０〜９０ｍｇ／１００ｍＬがさらに好ましく、２０〜８０ｍｇ／１００ｍＬにすることが最も好ましい。このタンニン値は酒石酸鉄法（中林敏郎他著「緑茶・紅茶・烏龍茶の化学と機能」弘学出版、１３７ページ参照）を用いて測定することができる。すなわち、被検液中のポリフェノールと酒石酸鉄試薬とを反応させて生じた紫色成分の吸光度（５４０ｎｍ）測定値を、没食子酸エチルを標準物質として作成した検量線を用いて定量値とし、さらにその値を１．５倍してタンニン量とする。
　【００２４】
　更に、通常、容器詰め茶飲料で使用することが知られている、甘味料、香料、酸味料、ｐＨ調整剤、又は増粘剤なども適宜使用することが可能である。
　【００２５】
＜茶由来粒子＞
本発明の茶飲料は、高濃度の茶由来粒子を含有する。ここで、茶由来粒子は、茶由来であって、０．１〜３００μｍ程度の微粒子のことをさし、（１）茶抽出液に別途添加した茶粉砕物に由来するもの、及び（２）茶抽出のために使用する茶葉中に混在する茶由来粒子に由来するものがある。これら（１）若しくは（２）のいずれか、又は両方を茶飲料中に含有させることで、高濃度、すなわち茶飲料の濁度（ＯＤ６８０）を０．５以上に調整することができる。
　【００２６】
　上記（１）について説明すると、ここで茶粉砕物としては、茶（カメリア・シネンシス）由来のものであれば、緑茶、紅茶、ウーロン茶などいずれ茶葉の粉砕物であっても使用できる。しかし、その中でも抽出用茶葉と同種の茶葉、すなわち緑茶飲料なら緑茶の粉砕物、紅茶飲料なら紅茶の粉砕物、を使用することが好ましい。さらに緑茶の場合には、緑茶由来の抹茶、かぶせ茶粉砕物、玉露粉砕物、煎茶粉砕物などがより好ましく、更に、その中でも抹茶、かぶせ茶粉砕物又は玉露粉砕物が最も好ましい。
　【００２７】
　ここで抹茶としては、栽培時に一定期間日光を遮って栽培した茶樹から得られる茶葉を蒸してから揉まずに乾燥した碾茶を石臼でひいたものが挙げられ、本発明においては、その粒度には制限はなく、市場に流通しているものをそのまま使用することができる。具体的には平均粒子径が０．５〜３００μｍ程度の抹茶が使用できる。
　【００２８】
　一方、かぶせ茶と玉露は栽培時に一定期間日光を遮って栽培した茶樹から得られる茶葉を製茶したものであり、玉露が２０日間ほど遮光するのに対して、かぶせ茶は茶摘みの前の１週間程度だけであるという違いがある。これらの茶葉はテアニンやグルタミン酸をはじめとするアミノ酸類が他の茶葉に比べて多く含まれているという特徴を有する。また、煎茶は、かぶせ茶や玉露と異なり、日光を遮ることなく栽培した茶樹から摘み取られた新芽を使って製茶されたものである。かぶせ茶、玉露、煎茶は、従来知られた方法によって粉砕して使用できる。その粉砕方法や、粉砕粒度等に制限はないが、具体的にはボールミルや石臼などを用いて平均粒子径が０．５〜３００μｍ位になるまで粉砕したものを用いることができる。
　【００２９】
　次に（２）について説明すると、茶葉の特性上、抽出用の茶葉においても必ず微細な粉末茶葉（茶由来粒子）が混在している。また抽出の段階でも装置又は他の茶葉などとの接触により茶葉が分解して微細な粉末茶葉（茶由来粒子）が生じる。通常、緑茶抽出液を得る際には、抽出後に、まずは金網等で比較的大きな茶葉を除いた後、遠心分離を行って微細な粉末茶葉まで除去することで、ほぼ透明な緑茶抽出液を得ている。この遠心分離の際に、その遠心強度を弱めることで、抽出用茶葉に混在している微細な粉末茶葉（茶由来粒子）の一部を抽出液中に残存させることが可能である。その結果として、茶由来粒子を含有する緑茶抽出液が調製できることになる。さらに、この遠心強度を弱めて調製した抽出液に、さらに前記の茶粉砕物を別途添加することで、（１）と（２）の両方の茶由来粒子を組み合わせることも可能である。
　【００３０】
　茶由来粒子は、高濃度、すなわち、最終的に茶飲料の濁度（ＯＤ６８０）を０．５以上に調整するために必要な量を添加、含有させる。具体的には茶粉砕物の添加量を調整したり、固液分離の際の遠心強度を調整したりして、茶飲料最終製品の濁度（ＯＤ６８０）を調整する。なお、本発明は濁度（ＯＤ６８０）０．５以上でざらつきの低減効果を発揮するが、当該効果をより強く実感できるという観点から、濁度１．０以上が好ましく、濁度１．５以上がより好ましく、濁度２．０以上が最も好ましい。なお、本発明の濁度とは、６８０ｎｍにおける吸光度（ＯＤ６８０）で示され、常法にしたがい、一般の分光光度計で測定することができる。
　【００３１】
　＜テアニン・グルタミン酸＞
本発明では、茶中のテアニン濃度を５０〜２０００ｐｐｍ及び／又はグルタミン酸濃度を１０〜１０００ｐｐｍに調整することが必要である。この範囲よりも濃度が低い場合にはざらつきの低減効果が弱く、多い場合にはアミノ酸由来の異味が目立って好ましくない。
　【００３２】
　更に、効果を明確にするためには、テアニンなら、７０〜１０００ｐｐｍに調整するのが好ましく、８０〜５００ｐｐｍに調整するのがより好ましく、１１０〜５００ｐｐｍに調整するのが最も好ましい。一方、グルタミン酸は、１５〜１０００ｐｐｍが好ましく、１４〜８００ｐｐｍがより好ましく、２４〜５００ｐｐｍが最も好ましい。テアニン又はグルタミン酸いずれか一方のみでもこれら濃度範囲を満たせばざらつきの低減効果を発揮するが、テアニンは口に含んだ際のトップ〜ミドルで特にざらつき感低減の効果を発揮し、グルタミン酸はミドル〜ラストで特にざらつきの低減効果を発揮するため、両成分とも上記濃度範囲を満たした方がより効果を発揮する。
　【００３３】
　テアニン及びグルタミン酸は、共にアミノ酸の一種であり、ほぼ純品のものが、食品原料として販売されているのでそれを用いて茶飲料中の濃度を調整することが可能である。そのほか、これらの成分を多く含む食品原料等を用いて調整してもよい。緑茶飲料の場合に最も好ましいのは、かぶせ茶や玉露を用いる方法である。これを用いれば緑茶由来の原料だけでの商品設計が可能となる。これらの茶葉には、テアニンやグルタミン酸が比較的多く含まれているので、緑茶抽出液の一部もしくは全部に、これらかぶせ茶や玉露の抽出液を用いることでテアニンとグルタミン酸の濃度を調整できる。かぶせ茶や玉露を抽出する際に、低温で抽出することでさらにそれらの成分濃度を高めることも可能である。
　【００３４】
　更に、茶粉砕物として、抹茶、かぶせ茶粉砕物又は玉露粉砕物を添加すると、そこからの、テアニンやグルタミン酸の溶出が期待できるのでテアニンとグルタミン酸の濃度調整が容易になる点で好ましい。ただし、抹茶の添加のみでテアニンとグルタミン酸の濃度調整を行うと、容器詰め飲料の製造の際の加熱殺菌の影響で、緑茶飲料に苦味が生じる場合があるので、抹茶を使用する場合には、玉露やかぶせ茶などの抽出液と併用したり、純品のテアニン及びグルタミン酸と併せて使用したりして濃度調整することがより好ましい。
　【００３５】
　＜製造方法＞
以下に、本発明の容器詰め茶飲料の製造方法について示す。まず、常法にしたがい、茶を抽出する。使用する茶葉は、茶葉であればいずれも使用できるが、緑茶の場合には、テアニン及び／又はグルタミン酸の濃度調整のために、かぶせ茶あるいは玉露を全部又は一部使用することが好ましい。抽出条件は特に制限はないが、テアニンやグルタミン酸の溶出量を高めるためにはより低温、たとえば５０℃程度で抽出することが好ましい。抽出後の茶葉と抽出液の分離方法に特に制限はないが、例えばメッシュの粗い金網で比較的大きい茶葉を取り除いた後、遠心分離に供することが好ましい。前記の通り、茶葉を分離する際の遠心分離の条件は、従来よりも弱めることで抽出茶葉中に含まれる茶由来粒子を抽出液に残すことも可能である。
　【００３６】
　得られた茶抽出液に対して、高濃度、すなわち濁度（ＯＤ６８０）が０．５以上になるように、必要量の茶粉砕物を添加する。緑茶の場合には、茶粉砕物として、抹茶、かぶせ茶粉砕物又は玉露粉砕物を使用すると、それらからのテアニンやグルタミン酸の溶出が期待できるのでより好ましい。
　【００３７】
　最終的にテアニン及び／又はグルタミン酸の濃度を調整する。抽出用茶葉や茶粉砕物について、かぶせ茶、玉露又は抹茶を使用することで、予めテアニン及び／又はグルタミン酸の濃度を調整しておくことも可能であり、その場合には最終調整の必要がないが、必要な場合には、テアニンやグルタミン酸を別途添加することで濃度調整を行う。
　【００３８】
　そのほか、香料などの必要な食品添加物等を添加した後、ＵＨＴ殺菌をおこなってペットボトル等の容器に充填する。缶に充填してからレトルト殺菌することでもよいが、本発明の特徴である、濃い濁り茶の外観を楽しむためにはペットボトルなどの透明容器に充填することが好ましい。
　【００３９】
　以下に実施例をもって、本発明の詳細を具体的に説明するが、本発明はこれらに限定されるものではない。
　【実施例】
　【００４０】
　［調製例］
　【００４１】
　＜（１）茶由来粒子調合液の調製＞イオン交換水に抹茶（碾茶の石臼粉砕物；市販品）を０．６重量％、ビタミンＣを０．１２重量％、重曹を０．１２重量％添加し、茶由来粒子含有調合液を得た（以下、ベース調合液）。以下の試験サンプル調製時には、全サンプルにおいてベース調合液が３倍希釈（抹茶換算で０．２重量％）となるよう、他原料・イオン交換水を配合した。なお、本ベース調合液（３倍希釈時）はＯＤ６８０が２．２、テアニン濃度１０ｐｐｍ、グルタミン酸濃度４ｐｐｍ、タンニン値２０ｍｇ／１００ｍＬであった。
　【００４２】
　なお、濁度（ＯＤ６８０）は、日立社製分光光度計Ｕ−３３１０を用いて、６８０ｎｍにおける吸光度を測定することで求めた。被検液をよく撹拌した後、光路長１０ｍｍのセルに入れて速やかに測定をおこなった。
　【００４３】
　また、テアニンとグルタミン酸の濃度は、日立社製アミノ酸分析計Ｌ−８８００を用いて測定した。具体的には、メインカラムとして＃２６２２を、ガードカラムとして＃２６１９をそれぞれ用い、アミノ酸をニンヒドリンで発色させて５７０ｎｍで検出し、予め作成した検量線から濃度を算出した。
　【００４４】
　＜（２）緑茶抽出液の調製＞
　【００４５】
　（Ａ）かぶせ茶抽出液の調製：
緑茶葉（かぶせ茶）１００ｇに対して５０℃の熱水２５００ｇを添加し、５分間抽出した。抽出後、目開き１００μｍのメッシュを通し、３０００ｒｐｍ１０分の条件で遠心分離処理を行ってから、冷却機を用いて１０℃まで急速冷却し、緑茶抽出液を得た（以下、かぶせ茶抽出液）。以下の試験サンプル調製時には、かぶせ茶抽出液が３倍希釈となるように配合した。なお、かぶせ茶抽出液（３倍希釈時）のテアニン濃度１００ｐｐｍ、グルタミン酸濃度は２０ｐｐｍ、タンニン値は４０ｍｇ／１００ｍＬであった。
　【００４６】
　（Ｂ）煎茶抽出液の調製：
緑茶葉（低級煎茶）１００ｇに対して８０℃の熱水３０００ｇを添加し、６分間抽出した。抽出後、目開き１００μｍのメッシュを通し、３０００ｒｐｍで１０分の条件で遠心分離処理を行ってから、冷却機を用いて１０℃まで急速冷却し、緑茶抽出液を得た（以下、煎茶抽出液）。下記試験サンプル調製時には、煎茶抽出液が最終的に５倍希釈となるように配合した。なお、煎茶抽出液（５倍希釈）のテアニン濃度は１０ｐｐｍ、グルタミン酸濃度は４ｐｐｍ、タンニン値は４０ｍｇ／１００ｍＬであった。
　【００４７】
　［実施例１〜７、比較例１〜３］
　【００４８】
　表１の通りサンプルを配合し、ＵＨＴ殺菌し、ペットボトルに充填することで実施例１〜７及び比較例１〜３の容器詰め緑茶飲料サンプルを調製した。なお、テアニンは市販のＬ−テアニン、グルタミン酸ナトリウムは市販のＬ−グルタミン酸ナトリウム、タンニン製剤は市販の高濃度カテキン製剤（三井農林社製カテキン３０．３重量％、タンニン値４０ｍｇ／１００ｍＬ）を使用した。サンプルの配合割合を調整する際には、イオン交換水を使用した。
　【００４９】
　【表１】
　【００５０】
　＜（３）評価＞
各実施例及び比較例の、濁度、テアニン、グルタミン酸及びタンニン値、並びにざらつき低減効果を表２に示す。ざらつき低減効果は、茶飲料の開発に精通したパネラー６人で飲用し、協議の上評価した。
　評価軸は以下の通りである。なお対照は比較例１のサンプルとした。
◎：飲用時のざらつきが顕著に低減した。
○：飲用時のざらつきが低減した。
×：ざらつきが低減していない、または低減効果が不十分である。
　【００５１】
　【表２】
　【００５２】
　試験の結果、飲料中のテアニン５０ｐｐｍ以上、又はグルタミン酸１０ｐｐｍ以上で、ざらつきの低減効果が見られた。テアニン・グルタミン酸いずれか一方のみでも含有量を満たせば効果を発揮するが、テアニンは口に含んだ際のトップ〜ミドルで特にざらつき低減効果を発揮し、グルタミン酸はミドル〜ラストで特にざらつき低減効果を発揮するため、両成分とも上記量を満たした方がより効果を発揮することが分かった。また、実施例４と実施例７の比較により、タンニン値が変化しても、ざらつき低減効果に影響がないことを確認した。
　【００５３】
　［実施例８〜１１］
　【００５４】
　各種緑茶抽出液、抹茶又は茶粉砕物を組み合わせて、様々な濁度、テアニン濃度、グルタミン酸濃度を有する容器詰め緑茶飲料を調製し、それぞれのざらつき低減効果を上記評価例と同様にして確認した。その結果を以下に示す。本発明の緑茶飲料はいずれも、ざらつきをほとんど感じない、口当たりの良い、すっきりとしたのどごしの飲料であった。
　【００５５】
　【表３】
　【産業上の利用可能性】
　【００５６】
　本発明は、茶由来粒子を高濃度に含むにもかかわらず、飲用時にざらつきを感じにくく、口当たりの良いすっきりしたのどごしを有する、のどごし感に優れた、容器詰め茶飲料を提供する。
（５７）【特許請求の範囲】
　【請求項１】
　６８０ｎｍにおける吸光度として表わされる濁度（ＯＤ６８０）が０．５
〜５．３
該濁度が
〜５．３
４４
　【請求項２】
　
濁度（ＯＤ６８０）が
〜５．３
　【請求項３】
　グルタミン酸の濃度調整が、かぶせ茶又は玉露の抽出液を原料茶抽出液への添加により行うことを特徴とする、請求項１又は２に記載の茶由来粒子高濃度含有容器詰め茶飲料の製造方法。
　【請求項４】
　６８０ｎｍにおける吸光度として表わされる濁度（ＯＤ６８０）が、０．５
〜５．３
該濁度が
〜５．３
４４